(57)【要約】      （修正有）【課題】信号損失を最少化することのできる、同軸ケーブルに基づく高画質カメラのための制御システムを提供する。【解決手段】制御システムは、高画質カメラ３００と連結され、映像信号を増幅する増幅モジュール２００と、増幅モジュールと、ＰｏＣ（Ｐｏｗｅｒ  Ｏｖｅｒ  Ｃｏａｘｉａｌ）に基づく同軸ケーブルを介して連結されて同軸ケーブルを介してカメラおよび増幅モジュールに電力を提供し、増幅モジュールからカメラの映像信号と結合された電力信号を、同軸ケーブルを介して受信する信号処理モジュール１００とを含む。同軸ケーブルの伝送距離に対応して一番適した周波数帯域別増幅度におけるイコライジング情報を自動選択し、映像信号を、選択されたイコライジング情報によるイコライジングパターンによって自動増幅され伝送されるようにする。【選択図】図１
2018029322.tif 000002
【特許請求の範囲】
【請求項１】
アナログ信号である高画質の映像信号を生成するカメラと連結され、前記映像信号を増幅する増幅部と、予め設定された複数の制御コード別に前記映像信号の周波数帯域別増幅度におけるイコライジング情報が相違するように設定されたコードブックと、選択されたコードブック上のイコライジング情報によって前記増幅部の増幅度を帯域別に可変するイコライジング部を含む増幅モジュール；および
相違する前記増幅モジュールとＰｏＣに基づく同軸ケーブルを介してチャンネル別に連結され、前記同軸ケーブルを介して前記増幅モジュールとカメラおよび同軸ケーブルの消費電力を測定して、予め設定された伝送距離対比電力消耗量を基準として前記同軸ケーブルにおける伝送距離を算出し、前記伝送距離に対応して予め設定された前記制御コードにおける制御信号を、前記同軸ケーブルを介して前記増幅モジュールに伝送して、前記制御信号によって選択された前記イコライジング情報によるイコライジングパターンで前記カメラの映像信号を増幅するようにする信号処理モジュールとを含む
同軸ケーブルに基づく高画質カメラのための制御システム。
【請求項２】
前記増幅モジュールは、前記増幅部を介して増幅された前記映像信号を電力信号と結合し、前記同軸ケーブルを介して前記信号処理モジュールに伝送し、
前記信号処理モジュールは、前記増幅モジュールから受信される電力信号から映像信号を分離し、前記信号処理モジュールに連結された外部装置に伝送する
ことを特徴とする請求項１に記載の同軸ケーブルに基づく高画質カメラのための制御システム。
【請求項３】
前記信号処理モジュールは、前記増幅モジュールを介して増幅された映像信号を受信した場合、前記増幅モジュールに伝送した制御コードに対応し、予め設定された復元情報に基づいて前記映像信号を復元する
ことを特徴とする請求項２に記載の同軸ケーブルに基づく高画質カメラのための制御システム。
【請求項４】
前記復元情報は、前記増幅モジュールを介して増幅された映像信号を復元するためのイコライジングパターンで構成され、
前記信号処理モジュールは、前記復元情報によるイコライジングパターンで前記増幅された映像信号をイコライジングして、前記外部装置に伝送する
ことを特徴とする請求項３に記載の同軸ケーブルに基づく高画質カメラのための制御システム。
【請求項５】
前記信号処理モジュールは、前記各チャンネルに対応する相違する各カメラおよび相違する各増幅モジュールの使用電力における情報が予め保存され、いずれかひとつのチャンネルに前記同軸ケーブルを介した増幅モジュールを連結する時、該チャンネルに対応する前記消費電力を測定し、測定された前記消費電力から該チャンネルに連結された前記カメラおよび増幅モジュールの各々の使用電力を差し引いた残りの電力を同軸ケーブルの消費電力で算出した後、これを予め設定された伝送距離対比電力消耗量と比べて、前記同軸ケーブルの伝送距離を算出する
ことを特徴とする請求項１に記載の同軸ケーブルに基づく高画質カメラのための制御システム。
【請求項６】
前記信号処理モジュールは、各チャンネルにおける増幅モジュールの連結可否を判断し、前記いずれかひとつのチャンネルにおける増幅モジュールを連結する時、該増幅モジュールにおける制御信号を生成し、伝送する
ことを特徴とする請求項１に記載の同軸ケーブルに基づく高画質カメラのための制御システム。
【請求項７】
前記信号処理モジュールは、前記制御信号を電力信号と結合して、前記同軸ケーブルを介して前記増幅モジュールに伝送し、
前記増幅モジュールは、前記電力信号から前記制御信号を分離して、前記制御信号によって選択された制御コードに対応するコードブック上のイコライジング情報を選択する
ことを特徴とする請求項１に記載の同軸ケーブルに基づく高画質カメラのための制御システム。
【発明の詳細な説明】
【技術分野】
【０００１】
本発明は、同軸ケーブルに基づく高画質カメラのための制御システムに関する。より詳しくは、高画質カメラを介して生成されたアナログ映像信号を同軸ケーブルに基づいて伝送する過程で発生する信号損失を最少化することのできる同軸ケーブルに基づく高画質カメラのための制御システムに関する。
【背景技術】
【０００２】
現在、保安や火災防災のような様々な目的の監視のためのカメラを用いたＣＣＴＶ（Ｃｌｏｓｅｄ  Ｃｉｒｃｕｉｔ  ＴｅｌｅＶｉｓｉｏｎ）システムにおける要求が急増していて、これによって監視効率を高めるためのＣＣＴＶカメラの発展が著しい。
【０００３】
既存のＣＣＴＶシステムは、デジタル方式が普遍化されず、同軸ケーブルを用いたアナログ方式のＳＤ（Ｓｔａｎｄａｒｄ  Ｄｅｆｉｎｉｔｉｏｎ）級カメラが主に使われていて、このような同軸ケーブルを用いたＳＤカメラは、ほとんど解像度がデジタル方式のカメラに比べて極めて劣り、同軸ケーブルを介した映像信号の伝送時、発生する信号損失によって監視効率が非常に下がる問題がある。
【０００４】
この問題を解決するために、最近のＣＣＴＶシステムは、デジタル方式のＨＤ（Ｈｉｇｈ  Ｄｅｆｉｎｉｔｉｏｎ）級映像を支援する高画質カメラと持続的な交替がなされているが、このようなデジタル方式の高画質カメラを適用するためには、映像処理関連の装置と線路の交替も追加でなされなければならないため、費用上の負担が相当であるので、既存ＣＣＴＶシステムの交替が難しいという問題がある。
【０００５】
しかし、最近、カメラ製造技術の発展とともに、同軸ケーブルを用いて高画質映像を提供することのできるＨＤ‐ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）、ＴＶＩ（Ｔｒａｎｓｐｏｒｔ  Ｖｉｄｅｏ  Ｉｎｔｅｒｆａｃｅ）、ＡＨＤ（Ａｎａｌｏｇｕｅ  Ｈｉｇｈ  Ｄｅｆｉｎｉｔｉｏｎ）のような規格のカメラが提供されて、予め構築された同軸ケーブルを用いて高画質のＨＤ級映像を提供するＣＣＴＶシステムを構築することができるようになった。
【０００６】
また、前記カメラの映像を受信する映像処理装置とカメラとの間を連結する同軸ケーブルを介して電源を提供するＰｏＣ（Ｐｏｗｅｒ  Ｏｖｅｒ  Ｃｏａｘｉａｌ＝同軸ケーブル給電）の登場とともに、同軸ケーブルを介してカメラに電源を提供してシステムの複雑度を大きく改善することができる。
【０００７】
しかし、ＨＤ‐ＳＤＩ規格の場合、デジタル信号を、同軸ケーブルを介して映像処理装置に伝送する方式であるため、映像処理装置の補償処理構成を介して、一定の画質を保障することができるが、ＴＶＩやＡＨＤのようにアナログ信号を同軸ケーブルで伝送する規格の場合、同軸ケーブルを介して映像信号を伝送する過程で信号減殺や歪曲のような信号損失が発生し、伝送距離が長くなるほど、信号損失が相当あり、映像処理装置で受信された映像に画質劣化、または、歪曲が発生する問題がある。
【０００８】
これによってアナログ方式の高画質カメラの安定的な信号伝送のために、カメラの映像信号を増幅するための増幅器をカメラに構成することが必要であるが、このような増幅器は、増幅率を固定していて、相違するカメラの配置位置による伝送距離によって遠距離に位置するカメラであるほど、なお信号損失が発生する問題がある。
【０００９】
従って、このような同軸ケーブルに基づくアナログ方式の高画質カメラから伝送する映像信号の損失を最少化するためのシステム開発が要求されている。
【先行技術文献】
【特許文献】
【００１０】
【特許文献１】韓国登録特許第１０−０３３４２５６号公報
【発明の概要】
【発明が解決しようとする課題】
【００１１】
本発明は、同軸ケーブルを用いて高画質カメラの映像信号をアナログ信号で伝送する過程で発生する映像信号の減殺や歪曲のような映像信号の損失を防止するために、映像信号の増幅率を、前記同軸ケーブルを用いた伝送距離によって可変するようにして、映像信号の損失を最少化することによって高品質の映像を提供するとともに、相違する距離に位置するカメラの映像品質が均一になるように支援することにその目的がある。
【００１２】
また、本発明は、映像信号を伝送する同軸ケーブルの伝送距離の変更によって映像信号の増幅の程度を可変調節して、カメラの映像における画質劣化、または、歪曲を防止するとともに、カメラの配置の変更における便利性を高めることにその目的がある。
【課題を解決するための手段】
【００１３】
本発明の実施例による同軸ケーブルに基づく高画質カメラのための制御システムは、アナログ信号である高画質の映像信号を生成するカメラと連結され、前記映像信号を増幅する増幅部と、予め設定された複数の制御コード別に前記映像信号の周波数帯域別増幅度におけるイコライジング情報が相違するように設定されたコードブックと、選択されたコードブック上のイコライジング情報によって前記増幅部の増幅度を帯域別に可変するイコライジング部とを含む増幅モジュールおよび相違する前記増幅モジュールとＰｏＣに基づく同軸ケーブルを介してチャンネル別に連結され、前記同軸ケーブルを介して前記増幅モジュールとカメラおよび同軸ケーブルの消費電力を測定し、予め設定された伝送距離対比電力消耗量を基準として、前記同軸ケーブルにおける伝送距離を算出し、前記伝送距離に対応して予め設定された前記制御コードにおける制御信号を、前記同軸ケーブルを介して前記増幅モジュールに伝送して、前記制御信号によって選択された前記イコライジング情報によるイコライジングパターンで前記カメラの映像信号を増幅するようにする信号処理モジュールを含むことができる。
【００１４】
本発明と関連する一例として、増幅モジュールは、増幅部を介して増幅された映像信号を電力信号と結合して、同軸ケーブルを介して信号処理モジュールに伝送し、信号処理モジュールは、増幅モジュールから受信される電力信号から映像信号を分離して信号処理モジュールに連結された外部装置に伝送することを特徴とすることができる。
【００１５】
本発明と関連する一例として、信号処理モジュールは、増幅モジュールを介して増幅された映像信号を受信した場合、増幅モジュールに伝送した制御コードに対応し、予め設定された復元情報に基づいて映像信号を復元することを特徴とすることができる。
【００１６】
本発明と関連する一例として、復元情報は、増幅モジュールを介して増幅された映像信号を復元するためのイコライジングパターンから構成され、信号処理モジュールは、復元情報によるイコライジングパターンで増幅された映像信号をイコライジングして外部装置に伝送することを特徴とすることができる。
【００１７】
本発明と関連する一例として、信号処理モジュールは、各チャンネルに対応する相違する各カメラおよび相違する各増幅モジュールの使用電力における情報が予め保存され、いずれかひとつのチャンネルに同軸ケーブルを介した増幅モジュールを連結する時、チャンネルに対応する消費電力を測定し、測定された消費電力からチャンネルに連結されたカメラおよび増幅モジュールの各々の使用電力を差し引いた残りの電力を同軸ケーブルの消費電力で算出した後、これを予め設定された伝送距離対比電力消耗量と比べて、同軸ケーブルの伝送距離を算出することを特徴とすることができる。
【００１８】
本発明と関連する一例として、信号処理モジュールは、各チャンネルにおける増幅モジュールの連結可否を判断し、いずれかひとつのチャンネルにおける増幅モジュールを連結する時、増幅モジュールにおける制御信号を生成して伝送することを特徴とすることができる。
【００１９】
本発明と関連する一例として、信号処理モジュールは、制御信号を電力信号と結合して、同軸ケーブルを介して増幅モジュールに伝送し、増幅モジュールは、電力信号から制御信号を分離して制御信号によって選択された制御コードに対応するコードブック上のイコライジング情報を選択することを特徴とすることができる。
【発明の効果】
【００２０】
本発明は、高画質カメラの映像信号が同軸ケーブルを介して伝送される過程で発生する映像信号の減殺や歪曲による前記映像信号の損失を最少化するために予め設定された伝送距離範囲別のイコライジング情報のうち、前記同軸ケーブルの伝送距離に対応して、一番適した周波数帯域別増幅度におけるイコライジング情報を自動選択して、前記映像信号を選択されたイコライジング情報によるイコライジングパターンによって自動増幅され伝送されるようにすることによって、映像信号の損失を最少化し、高品質の映像が提供されるように支援することができて、相違する各チャンネルに対応する高画質カメラの映像信号伝送のための相違する伝送距離を有する同軸ケーブル各々に対応して一番適したイコライジング情報を映像信号の増幅に自動適用することができて、全てのチャンネルで均等の品質の映像を提供することができるという効果がある。
【００２１】
また、本発明は、映像処理装置に高画質カメラの映像信号を提供する信号処理モジュールでいずれかひとつのチャンネルに対応するカメラの配置の変更による同軸ケーブルの伝送距離を変更する時、前記チャンネルの消費電力の変化による伝送距離の変更を自動感知し、変更された伝送距離に対応するイコライジングパターンで前記配置の変更されたカメラの映像信号を増幅する増幅モジュールを自動変更することができて、これによって変更されたイコライジングパターンで映像信号を増幅して伝送されるようにすることができて、カメラの配置を変更する時にも伝送距離の変更による映像信号の損失が最少化するように自動動作することによって、カメラの配置における便利性を提供する効果がある。
【図面の簡単な説明】
【００２２】
【図１】本発明の実施例による同軸ケーブルに基づく高画質カメラのための制御システムの構成図である。
【図２】本発明の実施例による同軸ケーブルに基づく高画質カメラのための制御システムで信号処理モジュールの動作構成図である。
【図３】本発明の実施例による同軸ケーブルに基づく高画質カメラのための制御システムで増幅モジュールの動作構成図である。
【図４】本発明の実施例による同軸ケーブルに基づく高画質カメラのための制御システムで信号処理モジュールの映像信号復元における動作構成図である。
【発明を実施するための形態】
【００２３】
以下、図面を参照して本発明の詳しい実施例を説明する。
【００２４】
図１は、本発明の実施例による同軸ケーブルに基づく高画質カメラのための制御システムの構成図であって、図示のように映像信号をアナログ信号と生成し、ＨＤ（Ｈｉｇｈ  Ｄｅｆｉｎｉｔｉｏｎ）級以上の高画質映像を提供する高画質カメラ（以下、カメラ）（３００）と連結され、前記映像信号を増幅する増幅モジュール（２００）と、前記増幅モジュール（２００）と、ＰｏＣ（Ｐｏｗｅｒ  Ｏｖｅｒ  Ｃｏａｘｉａｌ）に基づく同軸ケーブルを介して連結されて前記同軸ケーブルを介して前記カメラ（３００）および増幅モジュール（２００）に電力を提供し、前記増幅モジュール（２００）から前記カメラ（３００）の映像信号と結合された電力信号を、前記同軸ケーブルを介して受信する信号処理モジュール（１００）とを含むことができる。
【００２５】
この時、前記信号処理モジュール（１００）は、複数の相違するカメラ（３００）に各々の連結された各増幅モジュール（２００）と前記同軸ケーブルを介して連結されることができて、前記同軸ケーブルと連結されるための複数のポート（ｐｏｒｔ）を備え、ポート別に相違するチャンネル（ｃｈａｎｎｅｌ）が予め設定されることができる。
【００２６】
これを介して、前記信号処理モジュール（１００）は、各チャンネルを介して受信される相違するカメラ（３００）の映像信号を受信し、各チャンネルの映像信号をＤＶＲ（Ｄｉｇｉｔａｌ  Ｖｉｄｅｏ  Ｒｅｃｏｒｄｅｒ）のような映像処理装置（１０）、または、モニター（ｍｏｎｉｔｏｒ）のような出力装置（２０）に伝送することができる。
【００２７】
この時、前記ＰｏＣに基づく同軸ケーブルは、映像信号と電力信号とを一つのケーブルを介して伝送するように構成することができて、これを介して単一同軸ケーブルを用いてＴＶＩ（Ｔｒａｎｓｐｏｒｔ  Ｖｉｄｅｏ  Ｉｎｔｅｒｆａｃｅ）やＡＨＤ（Ａｎａｌｏｇｕｅ  Ｈｉｇｈ  Ｄｅｆｉｎｉｔｉｏｎ）などのように、アナログ信号で構成された映像信号の伝送とともに電力を提供することができる。
【００２８】
しかし、同軸ケーブルを介して映像信号を伝送する過程で電力信号の干渉によって映像信号の減殺や歪曲のような損失が発生するようになって、これによって映像品質が低下するようになる。
【００２９】
また、同軸ケーブルの長さによる伝送距離によって映像信号で歪曲や損失が発生する周波数帯域が相違するため、これを防止するためには、同軸ケーブルの伝送距離を考えて損失が発生する周波数帯域に基づいて映像信号における増幅がなされなければならない。
【００３０】
従って、本発明は、同軸ケーブルを介したカメラ（３００）と映像処理装置（１０）とを連結する時、同軸ケーブルの伝送距離を算出し、該伝送距離に対応して予め設定された最適のイコライジング（ｅｑｕａｌｉｚｉｎｇ）パターンで映像信号を増幅して映像信号の損失を最少化することができるように支援することによって、同軸ケーブルを用いたアナログ映像信号を伝送する時にも高品質の映像を提供することができるように支援する。
【００３１】
前述の構成に基づいて、以下の図面を参考して、本発明の実施例による増幅モジュール（２００）および信号処理モジュール（１００）の詳しい構成を説明する。
【００３２】
まず、前記信号処理モジュール（１００）は、信号処理部（１１０）と、距離測定部（１２０）と、第一制御部（１３０）と、電力提供部（１４０）および保存部（１５０）とを含むことができる。
【００３３】
前記信号処理モジュール（１００）の各構成部の詳細動作を、図２を参考して詳しく説明すると、図示のように前記信号処理モジュール（１００）は、相違する同軸ケーブルが連結される複数のポートを含むことができて、前記各ポートに連結される同軸ケーブルを介して相違する複数の増幅モジュール（２００）および複数のカメラ（３００）と連結されることができる。
【００３４】
この時、前記信号処理モジュール（１００）の信号処理部（１１０）は、各ポートにおけるチャンネルが予め設定され、前記各ポートを制御して、チャンネル別に前記同軸ケーブルを介して前記増幅モジュール（２００）から前記映像信号と結合された電力信号を受信することができて、前記各チャンネルを介して受信された電力信号から映像信号を分離して、前記信号処理モジュール（１００）に連結される映像処理装置（１０）、または、出力装置（２０）にチャンネル別の映像信号を伝送することができる。
【００３５】
一方、前記電力提供部（１４０）は、前記各ポートに同軸ケーブルを介して連結される前記カメラ（３００）および増幅モジュール（２００）を駆動するための電力を前記信号処理部（１１０）に提供することができて、前記信号処理部（１１０）は、前記各ポートの同軸ケーブルを介して前記各ポートに対応するカメラ（３００）および増幅モジュール（２００）に前記電力提供部（１４０）から提供される電力を提供することができる。
【００３６】
また、前記第一制御部（１３０）は、前記信号処理部（１１０）と連動して、前記各ポートにおいて同軸ケーブルを介した増幅モジュール（２００）との連結可否を判断することができて、これを通じて各ポートに対応するチャンネルにおける増幅モジュール（２００）との連結状態を感知（判断）することができる。
【００３７】
また、前記第一制御部（１３０）は、カメラ（３００）と連結された増幅モジュール（２００）が前記各ポートのうち、いずれかひとつに連結する時、前記電力提供部（１４０）および信号処理部（１１０）を制御して前記カメラ（３００）および増幅モジュール（２００）に対応する前記同軸ケーブルを介してカメラ（３００）および増幅モジュール（２００）に電力を提供することができる。
【００３８】
この時、前記信号処理部（１１０）でカメラ（３００）と連結された増幅モジュール（２００）が同軸ケーブルを介して前記各ポートのうち、いずれかひとつに連結する時、前記電力提供部（１４０）から提供される電力を、同軸ケーブルを介して増幅モジュール（２００）に提供することもできる。
【００３９】
また、前記第一制御部（１３０）は、各ポートのうち、いずれかひとつにカメラ（３００）と連結された増幅モジュール（２００）が同軸ケーブルを介して新規連結（再連結、または、最初連結）された場合、該新規連結ポートに対応する増幅モジュール（２００）の周波数帯域別増幅度を、該増幅モジュール（２００）に連結されたカメラ（３００）の映像信号を伝送する同軸ケーブルの伝送距離によって映像信号の損失を最少化するための最適のイコライジングパターンで制御するために必要な前記同軸ケーブルの伝送距離を算出することができる。
【００４０】
一例として、前記第一制御部（１３０）は、新規連結ポートに同軸ケーブルを介したカメラ（３００）および増幅モジュール（２００）の連結が感知された場合、前記信号処理部（１１０）を制御し、前記信号処理部（１１０）は、前記第一制御部（１３０）の制御によって前記新規連結ポートを介して連結されたカメラ（３００）および増幅モジュール（２００）と前記同軸ケーブルによって消費される消費電力を測定することができる。
【００４１】
また、前記第一制御部（１３０）は、前記連結が感知された新規連結ポートに対応して前記距離測定部（１２０）を制御し、前記距離測定部（１２０）は、前記第一制御部（１３０）の制御によって前記信号処理部（１１０）と連動して、前記信号処理部（１１０）によって測定された消費電力を認識することができる。
【００４２】
一方、前記距離測定部（１２０）は、前記各ポートに対応する相違する各カメラ（３００）および相違する各増幅モジュール（２００）の使用電力（消費電力）におけるスペック（ｓｐｅｃ）情報が予め保存されることができて、これによって前記新規連結ポートに対応して測定された消費電力から前記新規連結ポートに同軸ケーブルを介して連結されたカメラ（３００）および増幅モジュール（２００）各々の使用電力を差し引いた残りの電力を、前記新規連結ポートに連結された同軸ケーブルで消費された電力で算出することができる。
【００４３】
一方、前記距離測定部（１２０）は、同軸ケーブルの伝送距離対比電力消耗量における設定情報が予め設定されることができて、前記新規連結ポートに連結された同軸ケーブルの消費電力を前記設定情報と比べて、該同軸ケーブルの伝送距離を算出することができる。
【００４４】
これを通じて、前記距離測定部（１２０）は、前記信号処理部（１１０）と連動して、前記新規連結ポートに対応する同軸ケーブルの消費電力に基づいて新規連結ポートに連結された同軸ケーブルの伝送距離を算出することができる。
【００４５】
一方、前記距離測定部（１２０）は、前記新規連結ポートに対応するチャンネルにおける距離情報を前記第一制御部（１３０）に提供することができて、前記第一制御部（１３０）は、前記新規連結ポートに対応するチャンネルとマッチングして前記距離情報を前記保存部（１５０）に保存することができる。
【００４６】
これを通じて、信号処理モジュール（１００）は、相違するポートの各々に対応する前記チャンネル別に各同軸ケーブルの伝送距離による距離情報を前記保存部（１５０）に保存することができる。
【００４７】
この時、前記第一制御部（１３０）は、前記新規連結ポートに対応する前記チャンネルにマッチングされた既存距離情報が存在する場合、既存距離情報をもっとも最近生成された距離情報へ更新することができて、前記信号処理部（１１０）と連動して、ポートのうち、いずれかひとつに連結された同軸ケーブルが分離された場合、連結解除を感知して連結が解除されたポートに対応するチャンネルにマッチング保存された距離情報を前記保存部（１５０）から削除することもできる。
【００４８】
また、前記第一制御部（１３０）には、予め設定された相違する距離範囲別に前記増幅モジュール（２００）の周波数帯域別増幅度を制御するための制御コードが予め設定されたコード情報が保存されることができて、前記第一制御部（１３０）は、前記コード情報に基づいていずれかひとつのチャンネルに対応する距離情報による距離が属する距離範囲に対応する制御コードを選択し、前記選択された制御コードに対応するチャンネル情報および前記選択された制御コードを含む制御情報を前記信号処理部（１１０）に提供することができる。
【００４９】
この時、前記第一制御部（１３０）は、前記チャンネル別に前記制御コードを抽出した後、チャンネル情報とマッチングして、前記保存部（１５０）に保存することができて、前記コード情報は、前記予め設定された相違する複数の距離範囲の代わりに、相違する複数の距離値が予め設定されることもできるのは無論であり、前記第一制御部（１３０）は、前記距離情報による距離と一致する距離値にマッチングされた制御コードを前記コード情報から選択抽出することができる。
【００５０】
以後、前記信号処理部（１１０）は、前記第一制御部（１３０）から受信された制御情報に基づいて前記制御コードを含む制御信号を生成した後、前記電力提供部（１４０）から提供される電力信号と結合し、前記制御信号に対応するチャンネルのポートに連結される同軸ケーブルを介して前記増幅モジュール（２００）に伝送することができる。
【００５１】
一方、前記増幅モジュール（２００）は、前記信号処理モジュール（１００）から受信される制御信号に含まれた制御コードに対応して、予め設定されたイコライジング情報によるイコライジングパターンで前記カメラ（３００）の映像信号を増幅して、前記信号処理モジュール（１００）に提供することによって、前記同軸ケーブルの伝送距離による映像信号の損失が最少化されるように動作することができるが、これを前述の構成に基づいて詳しく説明する。
【００５２】
まず、前記増幅モジュール（２００）は、図１および図３に図示しているように、増幅部（２４０）と、電力処理部（２１０）と、イコライジング部（２３０）および第二制御部（２２０）とを含むことができる。
【００５３】
前記増幅モジュール（２００）を構成する各構成部の詳細動作を、図３を通じて説明すると、前記電力処理部（２１０）は、前記信号処理モジュール（１００）から前記同軸ケーブルを介して提供される電力を前記カメラ（３００）に提供し、前記増幅モジュール（２００）の各構成部に電力を提供することができる。
【００５４】
また、前記電力処理部（２１０）は、前記同軸ケーブルを介して受信された電力信号から前記信号処理モジュール（１００）が前記電力信号に結合して伝送した制御信号を分離して前記第二制御部（２２０）に提供することができる。
【００５５】
一方、前記第二制御部（２２０）は、予め設定された相違する複数の制御コード別に周波数帯域別増幅度におけるイコライジング情報が設定されたコードブック（ｃｏｄｅｂｏｏｋ、または、コードブック情報)を含むことができて、前記第二制御部（２２０）は、前記電力処理部（２１０）から提供された制御信号に基づいて、前記コードブックから前記制御信号に対応する制御コードを選択し、選択された制御コードに対応するコードブック上のイコライジング情報を抽出（選択）して、前記イコライジング部（２３０）に提供することができる。
【００５６】
また、前記イコライジング部（２３０）は、前記第二制御部（２２０）から提供されたイコライジング情報によるイコライジングパターンで前記増幅部（２４０）の周波数帯域別増幅度を制御することができる。
【００５７】
これによって前記増幅部（２４０）は、前記カメラ（３００）から提供される映像信号を受信して、前記イコライジングパターンによる周波数帯域別増幅度で前記映像信号を増幅した後、前記電力処理部（２１０）に提供することができる。
【００５８】
また、前記電力処理部（２１０）は、前記増幅部（２４０）を介して増幅された映像信号を電力信号と結合し、前記同軸ケーブルを介して信号処理部（１１０）に伝送することができる。
【００５９】
これを通じて、前記信号処理モジュール（１００）は、図２に図示したように、前記信号処理モジュール（１００）の信号処理部（１１０）で前記映像信号が結合された電力信号を受信した後、前記電力信号から映像信号を分離し、該映像信号を前記信号処理モジュール（１００）に連結されたＤＶＲのような映像処理装置（１０）に伝送し、映像処理装置（１０）に保存されるようにするか、前記信号処理モジュール（１００）に連結されたモニターのような出力装置（２０）に伝送して前記映像信号が出力装置（２０）を介して出力されるようにすることができる。
【００６０】
この時、前記信号処理モジュール（１００）の信号処理部（１１０）は、前記映像信号とともに前記映像信号に対応するポートのチャンネルにおけるチャンネル情報を前記映像信号とともに前記映像処理装置（１０）、または、出力装置（２０）に伝送することができるのは無論である。
【００６１】
即ち、前記増幅モジュール（２００）と信号処理モジュール（１００）とは、同軸ケーブルの伝送距離によって映像信号で減殺や歪曲などのような損失が発生する特定周波数帯域の損失を最少化するためのイコライジング情報の抽出がなされるようにするための制御コードが設定されることができて、前記信号処理モジュール（１００）は、前記増幅モジュール（２００）との同軸ケーブル連結による伝送距離を自動算出し、前記増幅モジュール（２００）で前記信号処理モジュール（１００）との伝送距離による前記映像信号の増幅がなされるように、前記増幅モジュール（２００）を制御することによって、前記同軸ケーブルを介して映像信号を伝送する過程で発生する減殺や歪曲のような映像信号の損失が最少化されるように、前記増幅モジュール（２００）を、周波数帯域別増幅度を調節することができる。
【００６２】
これを通じて、本発明は、高画質カメラ（３００）の映像信号が同軸ケーブルを介して伝送される過程で発生する映像信号の減殺や歪曲による前記映像信号の損失を最少化するために予め設定された伝送距離範囲別のイコライジング情報のうち、前記同軸ケーブルの伝送距離に対応して一番適した周波数帯域別増幅度におけるイコライジング情報を自動選択して前記映像信号を選択されたイコライジング情報によるイコライジングパターンによって自動増幅され、伝送されるようにすることによって、映像信号の損失を最少化して高品質の映像が提供されるように支援することができて、相違する各チャンネルに対応する高画質カメラ（３００）の映像信号伝送のための相違する伝送距離を有する同軸ケーブル各々に対応して一番適したイコライジング情報を映像信号の増幅に自動適用することができて、全てのチャンネルで均等の品質の映像を提供することができるという効果がある。
【００６３】
また、本発明は、ＰｏＣに基づく単一同軸ケーブルを介してカメラ（３００）の映像信号を伝送し、電力をカメラ（３００）に提供することができるため、ＴＶＩやＡＨＤに基づくＣＣＴＶ（Ｃｌｏｓｅｄ  Ｃｉｒｃｕｉｔ  ＴｅｌｅＶｉｓｉｏｎ）システムを構成するためのシステムの複雑度を大きく改善することができる。
【００６４】
一方、前述の構成で前記信号処理モジュール（１００）の第一制御部（１３０）は、前記信号処理部（１１０）および距離測定部（１２０）と連動して、いずれかひとつのチャンネルに対応するカメラ（３００）の配置の変更による同軸ケーブルの伝送距離を変更する時（同軸ケーブルの長さを変更する時）、前記チャンネルの消費電力の変化による伝送距離の変更を感知し、変更された伝送距離に対応するイコライジングパターンで前記カメラ（３００）の映像信号を増幅する増幅モジュール（２００）を自動変更することができて、これによって前記増幅モジュール（２００）が変更されたイコライジングパターンで映像信号を増幅して映像信号を伝送することができる。
【００６５】
これを通じて、本発明は、カメラ（３００）の配置の変更による伝送距離を変更する時でも、変更された伝送距離に最適化されたイコライジングパターンで映像信号の増幅がなされるように自動動作して、映像信号の損失が最少化するように支援するとともに、カメラ（３００）の配置における便利性を提供することができる。
【００６６】
一方、前述の構成で前記信号処理モジュール（１００）は、前記映像処理装置（１０）、または、出力装置（２０）に映像信号を伝送する時、前記増幅モジュール（２００）を介して増幅された映像信号をそのまま伝送する場合、映像信号の特定周波数帯域における色相が強調された状態で提供されることがあるため、カメラ（３００）から提供される映像信号と同じ品質の映像を提供できるように、前記増幅モジュール（２００）を介して増幅された映像信号を復元することができるが、これを、図４を通じて詳しく説明する。
【００６７】
図示のように、前記信号処理モジュール（１００）の信号処理部（１１０）は、前記増幅モジュール（２００）から受信された電力信号から映像信号を分離することができて、前記信号処理モジュール（１００）の前記第一制御部（１３０）は、前記信号処理部と連動して、前記信号処理部（１１０）を介して、受信された電力信号に対応するポートのチャンネルを認識することができる。
【００６８】
これによって前記第一制御部（１３０）は、前記保存部（１５０）から前記認識されたチャンネルに対応する制御コードを識別し、前記制御コードに対応して予め設定されたイコライジングパターンにおける復元情報を抽出することができる。
【００６９】
この時、前記保存部（１５０）には、前記制御コード別に前記増幅モジュール（２００）のイコライジング情報に対応する復元情報が保存されることができる。
【００７０】
これを通じて、前記第一制御部（１３０）は、前記信号処理部（１１０）と連動して、前記電力信号を受信する時、前記復元情報を前記信号処理部（１１０）に提供し、前記信号処理部（１１０）は、前記復元情報に基づいて前記電力信号から分離された映像信号に前記復元情報によるイコライジングパターンを適用し、イコライジングした後、前記映像処理装置（１０）、または、出力装置（２０）に提供することができる。
【００７１】
これを通じて、前記信号処理部（１１０）は、増幅モジュール（２００）から受信された映像信号のうち、特定のひとつ以上の周波数帯域における増幅によって変更された映像信号をイコライジングし、カメラ（３００）の映像信号と出来るだけ類似に復元することができて、高品質の映像を提供することができる。
【００７２】
前述の構成を通じて、本発明は、ＨＤ級以上のアナログに基づく高画質映像を提供するカメラ（３００）の映像信号を伝送するための同軸ケーブルの長さに対応する映像信号の伝送距離によって映像信号の周波数帯域別増幅度を各々異なるように適用して、これによってチャンネル別に連結された各カメラ（３００）において、カメラ（３００）の映像信号を伝送するＰｏＣに基づく同軸ケーブルの伝送距離に対応して映像信号の損失を最少化することのできる最適のイコライジングパターン（周波数帯域別増幅度）をカメラ（３００）に対応する同軸ケーブルの伝送距離によってカメラ（３００）の映像信号に相違して適用することによって、映像信号の減殺や歪曲による画質劣化を防止するとともに、映像信号を受信する受信側で高品質の映像を受信することができるように支援することができる。
【００７３】
これを通じて本発明は、映像信号をアナログ信号で送受信するＴＶＩやＡＨＤに基づくＣＣＴＶシステムから提供する映像の品質を大きく向上させることができる。
【００７４】
また、本発明は、カメラ（３００）の配置を変更する時、自動で消費電力を測定し、カメラ（３００）の配置の変更によって変更された同軸ケーブルの長さによる映像信号の伝送距離を自動算出し、これに基づいて映像信号の損失を最少化することのできるイコライジング情報と可変して、映像信号の周波数帯域別増幅度を自動で可変することができるため、ユーザーのカメラ（３００）配置の変更における便利性を大きく向上させることができる。
【００７５】
本明細書に記述された様々な装置、モジュールおよび構成部は、ハードウェア回路（例えば、ＣＭＯＳに基づくロジック回路）、ファームウェア、ソフトウェア、または、これらの組み合わせによって具現することができる。
例えば、様々な電気的構造の形でトランジスタ、ロジックゲートおよび電子回路を活用して具現することができる。
【００７６】
また、前述の信号処理モジュール（１００）および増幅モジュール（２００）の各構成部は、一部構成部の異なる構成部に含まれて構成できるということは、無論である。
【００７７】
前述の内容は、本発明の属する技術分野で通常の知識を有する者であるならば、本発明の本質的な特性から外れない範囲で修正および変形が可能なはずである。従って、本発明に開示された実施例らは、本発明の技術事象を限定するためのものではなく、説明するためのものであり、このような実施例によって本発明の技術事象の範囲が限定されることはない。本発明の保護範囲は、次の請求範囲によって解釈されるべきであって、それと同等な範囲内にある全ての技術事象は、本発明の権利範囲に含まれると解釈されるべきである。
【符号の説明】
【００７８】
１０    映像処理装置
２０    出力装置
１００    信号処理モジュール
１１０    信号処理部
１２０    距離測定部
１３０    第一制御部
１４０    電力提供部
１５０    保存部
２００    増幅モジュール
２１０    電力処理部
２２０    第二制御部
２３０    イコライジング部
２４０    増幅部
３００    カメラ
【図１】
2018029322.tif 000003
【図２】
2018029322.tif 000004
【図３】
2018029322.tif 000005
【図４】
2018029322.tif 000006